(57)【特許請求の範囲】
【請求項１】
画像処理装置であって、
情報記号付き原稿上の画像を読み取る画像読取手段と、
前記画像読取手段で読み取った画像内から情報記号を識別する識別手段と、
前記識別手段によって識別された情報記号が予め決められたものであるか否かを判断する判断手段と、
前記識別手段によって識別された情報記号が前記予め決められたものであると前記判断手段によって判断された場合に、当該識別された情報記号を前記読取手段で読み取った画像から削除する削除手段と、
前記読取手段で読み取った画像に基づいてサムネイル画像を作成するサムネイル作成手段と、
前記削除手段が情報記号を削除した場合に、前記サムネイル作成手段が作成したサムネイル画像を表示するとともに、当該削除された情報記号の位置を前記サムネイル作成手段が作成したサムネイル画像上に表示する表示手段と、
前記画像読取手段で読み取った画像を出力する出力手段と、
を有することを特徴とする画像処理装置。
【請求項２】
画像処理装置であって、
画像を送信するための送信先と、当該画像に含まれる情報記号が予め決められたものである場合に当該情報記号を削除するか否かとを、対応付けて登録する登録手段と、
情報記号付き原稿上の画像を読み取る画像読取手段と、
前記登録手段によって登録された送信先の中から、前記画像読取手段で読み取った画像を送信すべき送信先を選択する選択手段と、
前記画像読取手段で読み取った画像内から情報記号を識別する識別手段と、
前記識別手段によって識別された情報記号が予め決められたものであるか否かを判断する判断手段と、
前記識別手段によって識別された情報記号が前記予め決められたものであると前記判断手段によって判断され、かつ、前記選択手段によって選択された送信先が、情報記号を削除すべきことを前記登録手段によって登録された送信先である場合に、当該識別された情報記号を前記読取手段で読み取った画像から削除する削除手段と、
前記画像読取手段で読み取った画像を前記選択手段によって選択された送信先に送信する送信手段と、
を有することを特徴とする画像処理装置。
【請求項３】
前記識別手段によって識別された情報記号を復元する復元手段を更に有し、
前記判断手段は、前記復元手段の復元結果に基づき情報記号が予め決められたものであるか否かを判断することを特徴とする請求項１又は２に記載の画像処理装置。
【請求項４】
前記出力手段は、前記画像読取手段で読み取った原稿に基づいて画像を記録する記録手段を含むことを特徴とする請求項１に記載の画像処理装置。
【請求項５】
画像処理方法であって、
登録手段が、画像を送信するための送信先と、当該画像に含まれる情報記号が予め決められたものである場合に当該情報記号を削除するか否かとを、対応付けて登録する登録工程と、
画像読取手段が、情報記号付き原稿を読み取る画像読取工程と、
選択手段が、前記登録工程で登録された送信先の中から、前記画像読取工程で読み取った画像を送信すべき送信先を選択する選択工程と、
識別手段が、前記画像読取工程で読み取った画像内から情報記号を識別する識別工程と、
判断手段が、前記識別工程で識別された情報記号が予め決められたものであるか否かを判断する判断工程と、
削除手段が、前記識別工程で識別された情報記号が前記予め決められたものであると前記判断工程で判断され、かつ、前記選択工程で選択された送信先が、情報記号を削除すべきことを前記登録工程で登録された送信先である場合に、当該識別された情報記号を前記読取工程で読み取った画像から削除する削除工程と、
送信手段が、前記画像読取工程で読み取った画像を前記選択工程で選択された送信先に送信する送信工程と、
を含むことを特徴とする画像処理方法。
【発明の詳細な説明】
【技術分野】
【０００１】
本発明は、画像処理装置、画像処理方法に関する。
【背景技術】
【０００２】
従来から、情報記号を印刷することによって、印刷された情報記号からオリジナルの電子文書にアクセス可能とする技術が知られている（特許文献１参照）。
【０００３】
例えば、サーバ等に格納された電子文書を印刷する際に、その所在位置情報等を含む情報記号をバーコードや２次元コードの形態で合成印刷しておき、印刷された情報記号からオリジナルの電子文書に再アクセスがする方法が知られている。
【０００４】
図４（ａ）に２次元コードとしてＱＲコードを含む文書例を示す。４０００はＱＲコードを含む文書であり、４００１及び４００２がＱＲコードである。ＱＲコード４００２は文書中の説明を補助するために用いられている情報記号である。例ではあらかじめホームページの地図情報サイトへのリンク情報を盛り込んであり、情報所在地情報をわざわざ手入力しなくても携帯電話等に搭載のＣＣＤカメラで撮影して情報解析するだけで、ＷＥＢ閲覧ソフト等で地図情報を閲覧できるようになっている。
【０００５】
一方、ＱＲコード４００１はこの文書のオリジナル電子文書の所在地等を含む文書ＩＤとして用いられている。紙文書上に印刷された文書ＩＤとしてのＱＲコードを解析復元することで、電子文書の保存位置を知らなくても、容易にオリジナルの電子文書にアクセスすることができる。
【０００６】
図５（ａ）にＱＲコード４００１の復元結果例を、図５（ｂ）にＱＲコード４００２の復元結果例を示す。例において、ＱＲコード４００１はフォーマット方式及びそのバージョン情報、オリジナルファイル名、オリジナルファイル作成者、オリジナルファイル所在地、コメント情報等を含んでいる。ＱＲコードコード４００２はホームページ情報を含んでおり、携帯電話等のＷＥＢ閲覧は復元結果内に含まれるキャラクタ「ＵＲＬ  ｔｏ：」によって、該当ホームページを自動表示する。
【特許文献１】特開平１０−３０８８６８号公報
【発明の開示】
【発明が解決しようとする課題】
【０００７】
しかしながら、これらの紙文書をコピーやネットワーク送信、あるいはＦＡＸ送信する場合、原稿内に印刷された情報記号もそのまま配布されてしまうことになる。ユーザが紙文書のオリジナル電子文書の所在地情報を他者に知られたくない場合に、わざわざ原稿上の情報記号を修正液で削除する等の作業を実施しなければならない。これは非常に煩雑であり、使い勝手が悪かった。
【０００８】
本発明は、上記従来技術の課題を解決するためになされたものであり、情報記号を削除する手間を軽減できる技術を提供することを目的とする。
【課題を解決するための手段】
【０００９】
上記目的を達成するため、本発明に係る画像処理装置は、情報記号付き原稿上の画像を読み取る画像読取手段と、画像読取手段で読み取った画像内から情報記号を識別する識別手段と、識別手段によって識別された情報記号が予め決められたものであるか否かを判断する判断手段と、識別手段によって識別された情報記号が予め決められたものであると判断手段によって判断された場合に、当該識別された情報記号を読取手段で読み取った画像から削除する削除手段と、読取手段で読み取った画像に基づいてサムネイル画像を作成するサムネイル作成手段と、削除手段が情報記号を削除した場合に、サムネイル作成手段が作成したサムネイル画像を表示するとともに、当該削除された情報記号の位置をサムネイル作成手段が作成したサムネイル画像上に表示する表示手段と、画像読取手段で読み取った画像を出力する出力手段と、を有することを特徴とする。
【００１０】
上記目的を達成するため、本発明に係る画像処理装置は、画像を送信するための送信先と、当該画像に含まれる情報記号が予め決められたものである場合に当該情報記号を削除するか否かとを、対応付けて登録する登録手段と、情報記号付き原稿上の画像を読み取る画像読取手段と、登録手段によって登録された送信先の中から、画像読取手段で読み取った画像を送信すべき送信先を選択する選択手段と、画像読取手段で読み取った画像内から情報記号を識別する識別手段と、識別手段によって識別された情報記号が予め決められたものであるか否かを判断する判断手段と、識別手段によって識別された情報記号が予め決められたものであると判断手段によって判断され、かつ、選択手段によって選択された送信先が、情報記号を削除すべきことを登録手段によって登録された送信先である場合に、当該識別された情報記号を読取手段で読み取った画像から削除する削除手段と、画像読取手段で読み取った画像を選択手段によって選択された送信先に送信する送信手段と、を有することを特徴とする。
【００１１】
上記目的を達成するため、本発明に係る画像処理方法は、登録手段が、画像を送信するための送信先と、当該画像に含まれる情報記号が予め決められたものである場合に当該情報記号を削除するか否かとを、対応付けて登録する登録工程と、画像読取手段が、情報記号付き原稿を読み取る画像読取工程と、選択手段が、登録工程で登録された送信先の中から、画像読取工程で読み取った画像を送信すべき送信先を選択する選択工程と、識別手段が、画像読取工程で読み取った画像内から情報記号を識別する識別工程と、判断手段が、識別工程で識別された情報記号が予め決められたものであるか否かを判断する判断工程と、削除手段が、識別工程で識別された情報記号が予め決められたものであると判断工程で判断され、かつ、選択工程で選択された送信先が、情報記号を削除すべきことを登録工程で登録された送信先である場合に、当該識別された情報記号を読取工程で読み取った画像から削除する削除工程と、送信手段が、画像読取工程で読み取った画像を選択工程で選択された送信先に送信する送信工程と、を含むことを特徴とする。
【発明の効果】
【００１３】
本発明によれば、読取画像から情報記号を削除する手間を軽減できる。
【発明を実施するための最良の形態】
【００１４】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１５】
（第１実施形態）
＜概要＞
サーバ等に格納された電子文書を印刷する際に、その保存位置情報等を含む文書ＩＤをバーコードや２次元コードの形態で合成印刷しておき、印刷されたＩＤからオリジナルの電子文書に再アクセスがする方法が知られている。これにより電子文書の保存位置を知らなくても、印刷済みの紙文書から容易にオリジナルの電子文書にアクセスすることができる。しかしながら、紙文書をコピーやネットワーク送信、あるいはＦＡＸ送信する場合、原稿内に印刷された文書ＩＤもそのまま配布されてしまうことになる。ユーザは文書ＩＤを知られたくない場合に、わざわざ原稿上の文書ＩＤを修正液で削除する等の作業を実施しなければならない。
【００１６】
本実施形態では、上記不都合を改善するために、紙文書をコピー、あるいは送信する際に文書ＩＤを自動認識して削除する手段を設ける。これにより外出先等のオリジナル電子ファイルにアクセスできない環境でも文書ＩＤの自動削除が可能であり、紙原稿の文書ＩＤをわざわざ手加工で削除する必要が無い。また原稿に加筆してある場合でも、その加筆情報の残したまま文書ＩＤの削除が可能である。
【００１７】
＜具体的構成＞
図１に本発明の第１実施形態に係る画像処理装置を適用可能なシステム構成を示す図である。
【００１８】
１００１はスキャナ部及びプリンタ部を有する画像処理装置であり、複数枚の原稿を読み取ってコピーを実施し、また外部装置に画像送信することができる。１００３は画像処理装置１００１が読み取ったデータを格納するファイルサーバ/メールサーバ（以下、単にサーバと称する）であり、ＦＴＰサーバ、ＮｅｔＷａｒｅサーバ、ＳＭＢサーバ、ＳＭＴＰサーバ等の機能を有する。１００４はファクシミリの送受信を行うためのデータを格納するファクシミリサーバである。１００５、１００６、１００７はクライアントコンピュータ（以下、単にクライアントと称する）であり、サーバ１００３或いは１００４に接続してデータを表示する。１００２はイーサネット（登録商標）であり、画像処理装置１００１、サーバ１００３および１００４、クライアント１００５、１００６、１００７が接続されるネットワークである。
【００１９】
図２に画像処理装置１００１のシステム構成のブロック図を示す。画像処理装置１００１は主にコントローラユニット２０００、操作部２０１１、画像読取手段であるスキャナ２０６１、記録手段であるプリンタ２０８２により構成される。
【００２０】
また、ＰＣ２０２１やＬＡＮ２０３１、公衆回線（ＷＡＮ）２０４１と接続して、画像情報の入出力が可能である。続いてコントローラユニット２０００内の各構成について説明する。２００１はＣＰＵであり、画像処理装置全体を制御する。２０５０はバスＩ／Ｆであり、ＣＰＵ２００１、ＲＡＭ２００２、システムバス２００５、画像データの高速転送を可能とするイメージバス２０５１を接続するバスブリッジであり、この間のデータ構造を変換する。
【００２１】
ＲＡＭ２００２はＣＰＵ２００１が動作するためのシステムワークメモリである。ＲＡＭ２００２は、画像読み取り部で読み取った画像の格納、画像記録部でプリントアウトするための画像の格納、ＦＡＸ送受信データとしての画像の格納等、画像データを一時記憶するための画像メモリとしても機能する。
【００２２】
続いてシステムバス２００５上に配置されるデバイスについて説明する。
【００２３】
ＲＯＭ２００３はブートＲＯＭであり、ＣＰＵ２００１のブート動作のためのインストラクション群等のプログラムコード、初期値データ、テーブルデータなどを格納する。
【００２４】
ＨＤＤ２００４はハードディスクドライブであり、オペレーティングシステム（ＯＳ）プログラムコード、テーブルデータや画像データを格納する。操作部インターフェース２０１０は、タッチパネルを有する操作部２０１１とのインタフェース部であり、操作部２０１１に対してパネル表示用のデータを出力し、またてユーザが操作部２０１１から入力した情報をＣＰＵ２００１に伝達する。ＰＣインターフェース２０２０、ネットワークインターフェース２０３０、ＭＯＤＥＭ２０４０はそれぞれＰＣ２０２１、ＬＡＮ２０３１、公衆回線２０４１に接続され情報の入出力を行う。
【００２５】
次にイメージバス２０５１上に配置されるデバイスについて説明する。
【００２６】
スキャナＩ／Ｆ２０６０は、画像入力デバイスであるスキャナ２０６１との同期／非同期変換を行うインターフェースである。スキャナ画像処理部２０６２は、入力された画像データに対して補正、加工、編集等の画像処理を施す。
【００２７】
ラスタイメージプロセッサ（ＲＩＰ）２０７０は、ＰＤＬコードをビットマップイメージに展開する。画像圧縮／伸張部２０７１は、多値画像データに対してはJPEG、2値画像データに対してはJBIG、MMR、MHによる圧縮伸張処理を行う。画像回転部２０７２は、画像データの回転処理を行う。プリンタ画像処理部２０８０は、プリント出力する画像データに対してプリンタ用の補正、解像度変換等の画像処理を施す。プリンタＩ／Ｆ２０８１は、画像出力デバイスであるプリンタ２０８２との同期／非同期変換を行うインターフェースである。情報記号復号部２０９０はバーコードや２次元コード等のパターンマッチング及び伸張処理を行う。
【００２８】
図３は、本実施形態におけるソフトウェア構成を示すブロック図であり、コントローラユニット２０００内のＣＰＵ２００１によって実行される。
【００２９】
操作部コンポーネント３００１は、ユーザによる操作部２０１１のタッチキー操作により各種情報を取得する。取得する情報としては、例えばコピーの場合は対象となる画像に対して、その解像度、白黒／カラー種別、枚数等である。また送信の場合は送信対象となる画像に対して、その解像度、白黒／カラー種別、送信用プロトコル、送信時の画像フォーマット、送信先などの情報を取得する。更に送信の場合には、付加テキスト情報、付加テキスト情報を画像に重ねるか否か、サムネール画像を付加するか否か、ページ数を付加するか否か、読込み画像の保存先、保存された画像の選択情報、暗号化するか否か、等の情報を取得しても良い。
【００３０】
機能管理コンポーネント３０００は、操作部コンポーネント３００１において選択された処理命令に基づいて、スキャナ管理コンポーネント３００４に原稿の読み取りを指示する。また送信の場合は宛先管理コンポーネント３００２より宛先情報を取得する。そして、読込んだ画像データの処理命令を、プリントコンポーネント３００５、ファクシミリ送信コンポーネント３００６、ファイルサーバ送信コンポーネント３００７、メール送信コンポーネント３００８に発行する。これにより、プリンタ２０８２やファクシミリサーバ１００４に画像ファイルを送信したり、ボックスコンポーネント３００９に画像を保持したりすることができる。
【００３１】
ファイルサーバ送信コンポーネント３００７は、ＦＴＰ、ＮｅｔＷａｒｅ及びＳＭＢの3つのプロトコルを用いて、読み込んだ複数の画像を一つの画像ファイルに変換しつつ、ファイルサーバ１００３に送信することができる。
【００３２】
メール送信コンポーネント３００８は、ＳＭＴＰプロトコルを用いて、読み込んだ複数の画像を一つの画像ファイルに変換しつつ、メールサーバ１００４に送信することができる。
【００３３】
機能管理コンポーネント３０００は、宛先管理コンポーネント３００２とスキャナ管理コンポーネント３００４、及び各送信コンポーネント間におけるジョブ制御を行うジョブ管理コンポーネント３００３から構成される。
【００３４】
ボックスコンポーネント３００９はあらかじめ画像処理装置１００１のハードディスク２００４に設定されたユーザごとの情報格納領域（以下ボックス）に送信することができる。
【００３５】
情報記号処理コンポーネント３０１０は情報記号処理部２０９０で処理されたバーコードや２次元コード情報を解析したり、復元したりして、必要な処理を行うことができる。
【００３６】
情報記号の識別、復元、判断、削除は情報記号処理部２０９０及び情報記号処理コンポーネント３０１０にて行われる。つまり、これらが識別手段、復元手段、判断手段、削除手段として機能する。情報記号を識別する方法は、対象とする情報記号の種類によって異なる。
【００３７】
次に情報記号の識別方法について説明する。例えば情報記号がバーコードの場合はバーコードがワイドバー、ナローバー、および各々に対応するスペースとシンボル自体を背景と区別するためのマージンから成り立っている。したがって、これらの存在を識別し、バーとスペースの比率を計算してどのコードに対応するか判断する。
【００３８】
一方、情報記号が２次元コード（例えばＱＲコード等）の場合についてもバーコードの１次元に対して２次元側に情報を盛り込んだものであるので、同様に検出することができる。
【００３９】
ここで２次元コード（ＱＲ）コードの拡大図を図６に示す。２次元コード（ＱＲ）コード５０００内部はｎ×ｎの正方形の升目（以下、これをセルという）に区切られている。２次元コード（ＱＲ）コード５０００は、３個の位置決め用シンボル５００１（ａ）、５００１（ｂ）、５００１（ｃ）と基準パターンとなるタイミングセル５００２（ａ）、５００２（ｂ）と、データセル５００４から構成される。ここではわかりやすくするためにデータセル５００４は全て白で記載している。
【００４０】
ここで、位置決めシンボル５００１（ａ）、５００１（ｂ）、５００１（ｃ）は特定寸法比率の正方形を組み合わせたものである。この位置決め用シンボルを識別することで、２次元コード（ＱＲ）コード５０００が傾いていたり、逆方向であったりしてもその存在と方向を容易に検出することができる。
【００４１】
例えば、位置決めシンボル５００１（ｂ）が、黒い正方形５００３（ａ）、白い正方形５００３（ｂ）、黒い正方形５００３（ｃ）を真中中心にて重ね合わせた時にできる図形であったとする。黒い正方形５００３（ａ）は、一辺の長さが７セルに相当する。白い正方形５００３（ｂ）は、一辺の長さが５セルに相当する。黒い正方形５００３（ｃ）は一辺の長さが３セルに相当する。
【００４２】
この位置決めシンボル５００１（ｂ）の中心付近を直線的に横切ってその画素の黒白比率を評価した場合、黒、白、黒、日、黒のパターンが１：１：３：１：１の比率で検出される。この性質を利用し同比率で黒白が検出された場合を位置決めシンボル５００１（ａ）、５００１（ｂ）、５００１（ｃ）の候補となる。
【００４３】
タイミングセル５００２（ａ）、５００２（ｂ）は白と黒とが交互に組み合わせられ、各データセル位置の指標となる基準パターンとなる。
【００４４】
データセル５００４は基準パターンとタイミングセルを除いた領域であり、各データセルを白あるいは黒に色分けすることにより、各データセルを１ビットのデータに対応させる。
【００４５】
さて、３個の位置決めシンボル５００１（ａ）、５００１（ｂ）、５００１（ｃ）は正方形の４角のうちの３角に存在することからパターン計算によりそれらの位置を求めることができる。また、隣り合う位置決めシンボル間にはタイミングセル５００２（ａ）、５００２（ｂ）が存在することから、データセル５００４の位置を計算することができる。
【００４６】
このように位置が決定した、各データセルの中心付近が黒であるか白であるかを判定して、黒を例えば１，白を例えば０に対応させることにより、２値データとして認識でき、解読することができる。
【００４７】
次に、第１実施形態としての画像処理装置１０００にて実行されるコピー及び送信処理について、図７のフローチャートを参照しながら説明する。
【００４８】
まず、ステップＳ１００において、ユーザによる操作部２０１１の操作に基づき、原稿をスキャナ２０６１にて読み取る。ステップＳ１１０において、スキャナ２０６１は原稿の濃淡を電気信号に変換して多値ディジタル情報とする。このディジタル情報はスキャナＩ／Ｆ２０６０、画像バス２０５１、バスＩ／Ｆを介してＲＡＭ２００２に一旦蓄積される。そしてその後、画像圧縮／伸張部２０７１にて例えばモノクロであればＪＢＩＧ圧縮、カラーであればＪＰＥＧ圧縮しながらハードディスク２００４に順次蓄積される。
【００４９】
次に、ステップｐＳ１２０において原稿のすべての領域の読み取りが完了しない場合はＳ１００に戻って原稿の読み取りを継続する。ステップＳ１２０において原稿のすべての領域の読み取りが完了したと判断した場合、ステップＳ１３０に進みハードディスク２００４に蓄積された画像データの中から情報記号を識別する。識別方法は先に説明したとおりである。ステップＳ１３０にて情報記号を識別した後、ステップＳ１４０において、情報記号が検出されたか否かを判断する。
【００５０】
ステップＳ１４０において情報記号が検出されたならば、ステップＳ１５０に進み情報記号の内容を復元し、更にステップＳ１６０において情報記号の復元結果が所定のデータ形式であるか否かを評価する。所定のデータ形式であるか否かは例えば図５（ａ）のＱＲコード復元結果例のように、「Document file system Ver.3 ID code」等の所定のキャラクタが存在する等、あらかじめ定められたデータ形式であるか否かで判断できる。
【００５１】
ステップＳ１６０において情報記号が所定のデータ形式であると判断できた場合、ステップＳ１７０に進み、識別した情報記号全体を白マスクして画像データから削除する。その後ステップＳ１４０に戻り、他に情報記号が存在しないかどうかを評価する。ステップＳ１６０においてデータ形式が所定のものでなかった場合、あらかじめ定められたデータ形式では無いと判断して、その情報記号を削除することなくステップＳ１４０に戻る。例えば図５（ｂ）のＱＲコード復元結果例のように、文書内で説明用に使用しているＱＲコードであった場合である。ステップＳ１４０において、未デコードの情報記号が検出されないならば、対象の原稿内にこれ以上のＱＲコードは存在しないと判断し、ステップＳ１８０に進む。
【００５２】
ステップＳ１８０ではユーザが原稿読み取り前に操作部２０１１にて指示した動作内容に従い、コピー或いは画像送信を行う。これにより、図４（ａ）に示すような情報記号を含んだ原稿は図４（ｂ）のごとく文書ＩＤとしての情報記号のみ削除し、文書説明に使用する情報記号は削除せずに、コピー或いは画像送信を行うことができる。
なお、情報記号の削除の方法としては、上記のように白マスクによって情報記号全体を削除するものに限るものではなく、一部のみの削除や他の情報への置き換えなど、種々の変形が可能である。情報記号が表す情報を解析できないようにできれば十分である。
【００５３】
（第２実施形態）
次に、本発明の第２実施形態としての画像処理装置にて実行されるコピー及び送信処理について、図８のフローチャートを参照しながら説明する。ここで第１実施形態との差異は情報記号を削除するか否かの入力を促す表示を行なうことにあり、第１実施形態と同様の部分については説明を省略する。
【００５４】
図８において、Ｓ１００〜Ｓ１６０は第１実施形態で説明した図７の各処理と同一である。Ｓ１６０において情報記号が所定のデータ形式であると判断できた場合、ステップＳ２１０に進み、情報記号を削除するか否かの入力を促す表示を操作部２０１１内に含まれる表示部に表示する。続いてステップＳ２２０に進み、操作部２０１１からのユーザ操作により、情報記号を削除するか否かを判断する。ステップＳ２２０においてユーザにより操作部２０１１から削除を指令する入力があった場合、ステップＳ１７０に進む。ステップＳ２２０においてユーザにより操作部２０１１から削除をしないことを指令する入力があった場合、ステップＳ１４０に戻る。ステップＳ１６０において情報記号が所定のデータ形式では無いと判断できた場合、ステップＳ１４０に戻る。この他は第１実施形態と同様である。
【００５５】
このように、本実施形態では、情報記号を削除するか否かを、ユーザが決定する機会を設けた。これにより、図４（ａ）に示すような情報記号を含んだ原稿は、ユーザ確認後に図４（ｂ）のごとく文書ＩＤとしての情報記号のみ削除し、文書説明に使用する情報記号は削除せずに、コピー或いは画像送信を行うことができる。
【００５６】
（第３実施形態）
次に、本発明の第３実施形態としての画像処理装置にて実行されるコピー及び送信処理について、図９のフローチャートを参照しながら説明する。ここで第２実施形態との差異は、情報記号の削除を問い合わせる表示を行なった後、所定時間の経過を検知して自動的に情報記号の削除を行なう点にある。他の処理については、第２実施形態と同様であるため、同じ処理については同じ符号を付してその説明を省略する。
【００５７】
さて、Ｓ１００〜Ｓ２１０は第２実施形態と同一である。ステップＳ２１０において、情報記号を削除するか否かの入力を促す表示を操作部２０１１内に含まれる表示部に表示すると、続いてＳ３１０において、タイマカウンタをスタートさせる。続いてＳ３２０において、操作部２０１１からのユーザ操作があったかどうか判断する。Ｓ３２０においてユーザ操作があったならばＳ２２０に進む。Ｓ２２０以降は第２実施の形態と同様である。Ｓ３２０においてユーザ操作が無いならば、Ｓ３３０に進みタイマカウンタのカウント数があらかじめ定められた数字Ｎに達したか否かを評価する。
【００５８】
Ｓ３３０においてタイマカウント数がＮに達していないならばＳ３２０に戻る。Ｓ３３０においてタイマカウント数がＮに達しているならばＳ１７０に進む。この他は第２実施形態と同様である。これにより、図４（ａ）に示すような情報記号を含んだ原稿は、ユーザ確認時に削除を選択すれば図４（ｂ）のごとく文書ＩＤとしての情報記号のみ削除し、文書説明に使用する情報記号は削除せずに、コピー或いは画像送信を行うことができる。また、ユーザ確認時に削除を選択しなくとも、一定時間後に図４（ｂ）のごとく文書ＩＤとしての情報記号のみ削除し、文書説明に使用する情報記号は削除せずに、コピー或いは画像送信を行うことができる。
【００５９】
（第４実施形態）
次に、本発明の第４実施形態としての画像処理装置にて実行されるコピー及び送信処理について、図１０のフローチャートを参照しながら説明する。
【００６０】
ここで第２実施形態との差異は、情報記号の削除を問い合わせる表示を行なった後、所定時間の経過を検知して、情報記号の削除を中止する点にある。他の処理については、第２実施形態と同様であるため、同じ処理については同じ符号を付してその説明を省略する。
【００６１】
さて、Ｓ１００〜Ｓ２１０は第２実施形態と同一である。Ｓ２１０において、情報記号を削除するか否かの入力を促す表示を操作部２０１１内に含まれる表示部に表示すると、続いてＳ４１０においてタイマカウンタをスタートさせる。続いてＳ４２０において、操作部２０１１からのユーザ操作があったかどうか判断する。Ｓ４２０においてユーザ操作があったならばＳ２２０に進む。Ｓ２２０以降は第２実施形態と同様である。Ｓ４２０においてユーザ操作が無いならば、Ｓ４３０のごとくタイマカウンタのカウント数があらかじめ定められた数字Ｎに達したか否かを評価する。Ｓ４３０においてタイマカウント数がＮに達していないならばＳ４２０に戻る。Ｓ４３０においてタイマカウント数がＮに達しているならばＳ１７０に進む。この他は第２実施形態と同様である。これにより、図４（ａ）に示すような情報記号を含んだ原稿は、ユーザ確認時に削除を選択すれば図４（ｂ）のごとく文書ＩＤとしての情報記号のみ削除し、文書説明に使用する情報記号は削除せずに、コピー或いは画像送信を行うことができる。また、ユーザ確認時に削除を選択しない場合は、情報記号は一切削除せず、一定時間後に図４（ａ）のごとく画像データをコピー出力或いは画像送信する。
【００６２】
（第５実施形態）
次に、本発明の第５実施形態としての画像処理装置にて実行されるコピー及び送信処理について、図１１のフローチャートを参照しながら説明する。
【００６３】
ここで第１実施形態との差異は、情報記号の削除を報知する点にある。他の処理については、第１実施形態と同様であるため、同じ処理については同じ符号を付してその説明を省略する。
【００６４】
さて、Ｓ１００〜Ｓ１７０は第１実施形態と同一である。Ｓ１７０において所望のデータ形式で同じ情報記号を削除した後、Ｓ５３０において、情報記号を削除したことを操作部２０１１内に含まれる表示部に表示し、Ｓ１４０に戻る。この他は第１実施形態と同様である。これにより、ユーザは図４（ａ）に示すような情報記号を含んだ原稿が、図４（ｂ）のごとく文書説明に使用する情報記号は削除させずに、文書ＩＤとしての情報記号のみ自動削除されたことを知ることができる。
【００６５】
（第６実施形態）
次に、本発明の第６実施形態としての画像処理装置にて実行されるコピー及び送信処理について、図１２のフローチャートを参照しながら説明する。
【００６６】
ここで第１実施形態との差異は、情報記号の削除及び削除した情報記号を報知する点にある。他の処理については、第１実施形態と同様であるため、同じ処理については同じ符号を付してその説明を省略する。
【００６７】
さて、Ｓ１００〜Ｓ１７０は第１実施形態と同一である。Ｓ１７０において所定のデータ形式で同じ情報記号を削除した後、Ｓ６３０のごとく、情報記号を削除したこと、及び削除した情報記号を操作部２０１１内に含まれる表示部に表示し、Ｓ１４０に戻る。この他は第１実施形態と同様である。これにより、ユーザは図４（ａ）に示すような情報記号を含んだ原稿が、図４（ｂ）のごとく文書説明に使用する情報記号は削除させずに、文書ＩＤとしての情報記号のみ自動削除されたことを知ることができる。
【００６８】
（第７実施形態）
次に、本発明の第７実施形態としての画像処理装置にて実行されるコピー及び送信処理について、図１３のフローチャートを参照しながら説明する。
【００６９】
ここで第１実施形態との差異は、情報記号の削除及び削除した情報記号の復元結果を報知する点にある。他の処理については、第１実施形態と同様であるため、同じ処理については同じ符号を付してその説明を省略する。
【００７０】
さて、Ｓ１００〜Ｓ１７０は第１実施形態と同一である。Ｓ１７０において所望のデータ形式で同じ情報記号を削除した後、Ｓ７３０のごとく、情報記号を削除したこと、及び削除した情報記号の復元結果を操作部２０１１内に含まれる表示部に表示し、Ｓ１４０に戻る。この他は第１実施形態と同様である。これによりユーザは図４（ａ）に示すような情報記号を含んだ原稿が、図４（ｂ）のごとく文書説明に使用する情報記号は削除させずに、文書ＩＤとしての情報記号のみ自動削除されたことを知ること、及び削除された情報記号の復元結果を知ることができる。
【００７１】
（第８実施形態）
次に、本発明の第８実施形態としての画像処理装置にて実行されるコピー及び送信処理について、図１４のフローチャートを参照しながら説明する。
【００７２】
ここで第１実施形態との差異は、情報記号の削除及び削除した情報記号をサムネイル画像に表示する点にある。他の処理については、第１実施形態と同様であるため、同じ処理については同じ符号を付してその説明を省略する。
【００７３】
さて、Ｓ１００〜Ｓ１２０は第１実施形態と同一である。Ｓ１２０において、原稿のすべての領域の読み取りが完了した場合、Ｓ８３０のごとく、読み取った原稿の画像データをスキャナ画像処理部２０６２にて縮小し、後で操作部２０１１に表示するためのサムネイル画像を作成する。続いてＳ１３０に進む。Ｓ１３０からＳ１６０までの処理は第１実施形態と同様である。さて、Ｓ１００〜Ｓ１６０は第１実施形態と同一である。Ｓ１６０において情報記号が所定のデータ形式であると判断できた場合、Ｓ８４０のごとく、情報記号を削除すること、削除する情報記号を点滅表示させたサムネイル画像を操作部２０１１内に含まれる表示部に表示する。そしてＳ１７０のごとく該当する情報記号を削除する。
【００７４】
この他は第１実施形態と同様である。これによりユーザは図４（ａ）に示すような情報記号を含んだ原稿が、図４（ｂ）のごとく文書説明に使用する情報記号は削除させずに、文書ＩＤとしての情報記号のみ自動削除されたことを知ることができる。また、削除された情報記号をサムネイル上で容易に知ることができる。
【００７５】
なお以上の第１から第８の実施の形態における画像送信の方法としては、ファクシミリ送信コンポーネント３００６で行うファクシミリ送信でもよいし、ファイルサーバ送信コンポーネント３００７で行うネットワーク送信でもよい。また、メール送信コンポーネント３００８で行うＥ−メール送信、ボックスコンポーネント３００９で行うボックス送信等いずれであってもよい。
【００７６】
（第９実施形態）
次に、第９実施形態としての画像処理装置において、画像送信先に応じて、文書ＩＤとしての情報記号を自動削除するか否かをアドレス帳を用いてあらかじめ関連付ける方法について説明する。
【００７７】
即ち、本実施形態では、ネットワーク送信もしくはＦＡＸ送信用アドレス帳内の宛先に対し、あらかじめ文書ＩＤを削除するか否かを関連付ける手段を有する。これにより送信相手に応じて文書ＩＤを削除するか否かを自動判断する
図１５は本実施形態の画像処理装置における利用条件の宛先設定を行う際の画面イメージ図である。４０１は入力画面である。４０２は受信者の宛先名称の入力部である。４０３は宛先名称に対応した電子メールアドレスの入力部である。４０４は該受信者に対して送信すべき画像に文書ＩＤが存在する場合に、それを付加するか否かをあらかじめ設定する設定入力部である。４０５は宛先名称に対するコメント入力部である。入力は任意である。４０６は入力した設定がＯＫならば押下するボタンである。４０７は入力した設定をキャンセルする場合に押下するボタンである。
【００７８】
図１６は図１５の画面に各種パラメータを設定する際の動作を示すフローチャートである。まず基本操作画面を表示させ（Ｓ１０００）、アドレス帳内の受信者宛先を入力設定する（Ｓ１０１０）。次に受信者の電子メールアドレスを入力設定する（Ｓ１０２０）。次に受信者に対応して送信する文書の文書ＩＤを削除するか否かを設定する（Ｓ１０３０）。続いてＳ１０４０のごとくコメント入力を行う。
【００７９】
図１７はアドレス帳に設定されたメールアドレスを選択し、原稿を読み取って送信する際のフローチャートである。ユーザによる操作部２０１１の操作に基づき、まず基本操作画面を表示させる（Ｓ１１００）。そしてアドレス帳内の受信者宛先を選択する（Ｓ１１１０）。続いて、送信指示を待ち（Ｓ１１２０）、送信指示があれば、原稿をＳ１００のごとくスキャナ２０６１にて読み取る。スキャナ２０６１は原稿の濃淡を電気信号に変換して多値ディジタル情報とし、このディジタル情報はＳ１１０のごとくハードディスク２００４に順次蓄積される。Ｓ１２０において原稿のすべての領域の読み取りが完了しない場合はＳ１００に戻って原稿の読み取りを継続する。Ｓ１２０において原稿のすべての領域の読み取りが完了した場合、Ｓ１３０のごとくハードディスク２００４に蓄積された画像データの中から情報記号を識別する。識別方法は先に説明したとおりである。Ｓ１３０にて情報記号を識別した後、Ｓ１４０のごとく情報記号が検出されたか否かを判断する。Ｓ１４０において情報記号が検出されたならば、Ｓ１５０のごとく情報記号の内容を復元し、Ｓ１６０のごとく情報記号の復元結果が所望のデータ形式であるか否かを評価する。Ｓ１６０において情報記号が所望のデータ形式であると判断できた場合、Ｓ１１３０のごとく指定された送信先に対して文書ＩＤの自動削除が関連付けられているか否かを判断する。Ｓ１１３０において自動削除が関連付けられていなければＳ１４０に戻る。Ｓ１１３０において自動削除が関連付けられていればＳ１７０のごとく情報記号全体を白マスクするなどして画像データから削除する。
【００８０】
その後Ｓ１４０に戻り、他に情報記号が存在しないかどうかを評価する。Ｓ１６０においてデータ形式が所望のものでなかった場合、あらかじめ定められたデータ形式では無いと判断してＳ１４０に戻る。Ｓ１４０において情報記号が検出されないならば、対象の原稿内にこれ以上のＱＲコードは存在しないと判断し、Ｓ１８０に進む。Ｓ１８０ではユーザが原稿読み取り前に操作部２０１１にて指示した動作内容に従い、画像送信を行う。
【００８１】
これにより、図４（ａ）に示すような情報記号を含んだ原稿は図４（ｂ）のごとく文書ＩＤとしての情報記号のみ自動削除し、文書説明に使用する情報記号は削除せずに、画像送信を行うことができる。ここではアドレス帳に設定された宛先として、電子メールの場合を説明した。しかしこれはＦＡＸ送信やファイルサーバ送信であってかまわない。
【００８２】
（第１０実施形態）
次に、第１０実施形態としての画像処理装置にて実行されるコピー及び送信処理について、図１８のフローチャートを参照しながら説明する。ここで第１実施形態との差異はＳ１３０がＳ１２３０に変更になったことだけである。その他、第１実施形態と同様の部分については説明を省略する。さて、Ｓ１００〜Ｓ１２０は同様である。Ｓ１２０において原稿のすべての領域の読み取りが完了した場合、Ｓ１２３０のごとくハードディスク２００４にＳ１００で読み取って蓄積された画像データ全領域の中から情報記号を識別する。  このように、識別手段は読み取り画像の全領域を検出領域としてもよい。これにより、図４（ａ）に示すような情報記号を含んだ原稿において、原稿ＩＤを示す情報記号が原稿内のどこに位置していても、きちんと識別することができる。また、図４（ｂ）のごとく文書ＩＤとしての情報記号のみ自動削除し、文書説明に使用する情報記号は削除せずに、コピー或いは画像送信を行うことができる。
【００８３】
（第１１実施形態）
次に、第１１実施形態としての画像処理装置にて実行されるコピー及び送信処理について、図１９のフローチャートを参照しながら説明する。ここで第１実施形態との差異はＳ１３０がＳ１３３０に変更になったことだけである。その他、第１実施形態と同様の部分については説明を省略する。さて、Ｓ１００〜Ｓ１２０は同様である。Ｓ１２０において原稿のすべての領域の読み取りが完了した場合、Ｓ１３３０のごとくハードディスク２００４にＳ１００で読み取って蓄積された画像データ一部領域の中から情報記号を識別する。
【００８４】
このように、識別手段は読み取り画像の一部領域を検出領域としてもよい。これにより、図４（ａ）に示すような情報記号を含んだ原稿において、原稿ＩＤを示す情報記号の位置が原稿の角に限定されているような場合、高速に識別することができる。図４（ｂ）のごとく文書ＩＤとしての情報記号のみ自動削除し、文書説明に使用する情報記号は削除せずに、コピー或いは画像送信を行うことができる。
【００８５】
（他の実施形態）
以上、本発明の実施形態について詳述したが、本発明は、複数の機器から構成されるシステムに適用しても良いし、また、一つの機器からなる装置に適用しても良い。
【００８６】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００８７】
その場合、プログラムの機能を有していれば、オブジェクトコード、インタプリタにより実行されるプログラム、ＯＳに供給するスクリプトデータ等、プログラムの形態を問わない。
【００８８】
プログラムを供給するための記録媒体としては、様々なものある。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８９】
その他、クライアントコンピュータのブラウザを用いてインターネットのホームページから、本発明のプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００９０】
また、本発明のプログラムを暗号化してＣＤ−ＲＯＭ等の記憶媒体に格納してユーザに配布してもよい。そして、所定の条件をクリアしたユーザに対し、インターネットを介して暗号化を解く鍵情報をダウンロードさせ、その鍵情報を使用することにより暗号化されたプログラムを実行してコンピュータにインストールさせて実現することも可能である。
【００９１】
また、コンピュータが、読み出したプログラムを実行することによって、前述した実施形態の機能が実現される。そのプログラムの指示に基づき、コンピュータ上で稼動しているＯＳなどが、実際の処理の一部または全部を行ない、その処理によっても前述した実施形態の機能が実現され得る。
【００９２】
さらに、記録媒体から読出されたプログラムが、機能拡張ボードや機能拡張ユニットに備わるメモリに書込まれた後、そのプログラムの指示に基づき、その機能拡張ボードや機能拡張ユニットに備わるＣＰＵなどが実際の処理の一部または全部を行なってもよい。その処理によっても前述した実施形態の機能が実現される。
【図面の簡単な説明】
【００９３】
【図１】本発明に係る一実施形態における基本的なネットワークシステム構成を示す図である。
【図２】本実施形態の画像処理装置におけるシステム構成を示すブロック図である。
【図３】本実施形態の画像処理装置における送信機能のソフトウェア構成を示すブロック図である。
【図４】本実施形態の画像処理装置における文書ＩＤを含む２次元コード（ＱＲコード）の印刷された原稿サンプル例及びそのコピーした出力例を示す図である。
【図５】本実施形態の画像処理装置において図４（ａ）の原稿サンプル上の２次元コード（ＱＲコード）の復元結果例を示す図である。
【図６】２次元コード（ＱＲコード）の説明例を示す図である。
【図７】第１実施形態の画像処理装置における原稿をコピー或いは送信する際の動作を示すフローチャートである。
【図８】第２実施形態の画像処理装置における原稿をコピー或いは送信する際の動作を示すフローチャートである。
【図９】第３実施形態の画像処理装置における原稿をコピー或いは送信する際の動作を示すフローチャートである。
【図１０】第４実施形態の画像処理装置における原稿をコピー或いは送信する際の動作を示すフローチャートである。
【図１１】第５実施形態の画像処理装置における原稿をコピー或いは送信する際の動作を示すフローチャートである。
【図１２】第６実施形態の画像処理装置における原稿をコピー或いは送信する際の動作を示すフローチャートである。
【図１３】第７実施形態の画像処理装置における原稿をコピー或いは送信する際の動作を示すフローチャートである。
【図１４】第８実施形態の画像処理装置における原稿をコピー或いは送信する際の動作を示すフローチャートである。
【図１５】第９実施形態の画像処理装置におけるアドレス帳設定の際の操作部のイメージ図である。
【図１６】第９実施形態の画像処理装置におけるアドレス帳設定の際のフローチャートである。
【図１７】第９実施形態の画像処理装置におけるアドレス帳選択にて電子メールを送信する際のフローチャートである。
【図１８】第１０実施形態の画像処理装置における原稿をコピー或いは送信する際の動作を示すフローチャートである。
【図１９】第１１実施形態の画像処理装置における原稿をコピー或いは送信する際の動作を示すフローチャートである。
【図１】
0004541998.tif 000002
【図２】
0004541998.tif 000003
【図３】
0004541998.tif 000004
【図４】
0004541998.tif 000005
【図５】
0004541998.tif 000006
【図６】
0004541998.tif 000007
【図７】
0004541998.tif 000008
【図８】
0004541998.tif 000009
【図９】
0004541998.tif 000010
【図１０】
0004541998.tif 000011
【図１１】
0004541998.tif 000012
【図１２】
0004541998.tif 000013
【図１３】
0004541998.tif 000014
【図１４】
0004541998.tif 000015
【図１５】
0004541998.tif 000016
【図１６】
0004541998.tif 000017
【図１７】
0004541998.tif 000018
【図１８】
0004541998.tif 000019
【図１９】
0004541998.tif 000020